(57)【要約】【課題】ドア開閉時の指詰め事故を確実に防止できると共にドアを閉める際の衝撃を和らげることができ、それでいて構造が簡素で安価なドア構造を提供すること。【解決手段】ドア枠１に、ドア２の先端側が当接する弾性材から成る戸当り部材４を配設し、ドア２の先端とドア枠１の少なくとも何れか一方に、ドア２を閉じたときドア２の先端とドア枠１との間に形成される隙間に位置される弾性材から成る保護部材５、６を配設した。【選択図】      図１
2004150220.tif 000002
【特許請求の範囲】
【請求項１】
ドア開口部を構成するドア枠と、
該ドア枠に軸支され、先端側が揺動して該ドア開口部を開閉するドアと、
該ドア枠に配設され、該ドアを閉じたとき、該ドアの先端側が当接する弾性材から成る戸当り部材と、
該ドアを閉じたときに該ドアの先端と該ドア枠との間に形成される隙間に位置するように、該ドアの先端及び該ドア枠の一方又は両方に配設された弾性材から成る保護部材と、
を含むドア構造。
【請求項２】
前記戸当り部材と前記保護部材とが一体成形されて前記ドア枠に配設されている請求項１記載のドア構造。
【請求項３】
前記保護部材の厚みが、前記ドアの先端と前記ドア枠との間に形成される隙間よりも大きく形成されている請求項１又は請求項２記載のドア構造。
【請求項４】
前記保護部材の角部が面取りされている請求項１乃至請求項３の何れかに記載のドア構造。
【発明の詳細な説明】
【０００１】
【発明の属する技術分野】
本発明は、ドア構造、より詳しくは、基端側がドア枠に軸支され、先端側が揺動して開閉する揺動開閉式のドア構造に関するものである。
【０００２】
【従来の技術】
周知のとおり、基端側がドア枠に軸支され、先端側が揺動して開閉するドア構造においては、ドア枠に角材等を添設するか、段部を形成するかしてドア枠に沿って戸当りを設け、この戸当りにドアの先端部を当接させることによってドアの閉じ位置を規制している。
【０００３】
ところで、この揺動開閉式のドア構造は、ドアを閉じるとき、ドア先端と戸当りとの間、またはドア先端とドア枠との間に指等を挟んでしまう危険があり、例えば、強風や室内外の気圧差等によってドアが勢い良く閉じられたときには、指等に怪我を負うこともあった。
【０００４】
また、この揺動開閉式のドア構造は、ドアが勢い良く閉じられたとき、ドアの先端が激しく戸当りに衝突して大きな衝撃音が発生し、場合によっては、ドアに嵌め込んだガラス等が割れるなど、ドアが破損してしまうこともあった。
【０００５】
従来、ドアの指詰め事故を防止しようとするものとして、ドアとドア枠との対向部の少なくとも一方に凹部を形成し、この凹部に軟質弾性材を取り付けたドア構造（例えば、特許文献１、特許文献２参照。）が提案されている。しかしながら、これらは何れも、ドア枠に軸支されたドアの基端側における指詰め事故を防止するものであり、ドアの先端側の指詰めについては考慮されていなかった。
【０００６】
また、ドアを閉じたときの衝撃を和らげる方法としては、戸当りにゴム等の弾性体を付設することが一般的に行われているが、その他、コイルバネ等を利用して弾性変形量を大きくした緩衝装置を戸当りに配設したもの（例えば、特許文献３参照。）、戸当り自体を弾性移動可能にドア枠に配設したもの（例えば特許文献４参照。）が提案されている。しかし、これらはドアの緩衝性を向上させるための構造が複雑化することになり、コスト高を招く難点があった。
【０００７】
【特許文献１】
特開平１０−５４１７３号公報
【特許文献２】
特開２０００−１４５２７５号公報
【特許文献３】
特開平７−３３１９５４号公報
【特許文献４】
特開２００１−２９５５４５号公報
【０００８】
【発明が解決しようとする課題】
本発明は、従来の揺動開閉式ドア構造に上記のような問題があったことに鑑みて為されたもので、ドア開閉時の指詰め事故を確実に防止できると共に、ドアを勢い良く閉めた際の衝撃を大幅に和らげることができ、それでいて構造が簡素で安価に構成し得るドア構造を提供することにある。
【０００９】
【課題を解決するための手段】
本発明に係るドア構造は、ドア開口部を構成するドア枠と、該ドア枠に軸支され、先端側が揺動して該ドア開口部を開閉するドアと、該ドア枠に配設され、該ドアを閉じたとき、該ドアの先端側が当接する弾性材から成る戸当り部材と、該ドアを閉じたときに該ドアの先端と該ドア枠との間に形成される隙間に位置するように、該ドアの先端及び該ドア枠の一方又は両方に配設された弾性材から成る保護部材とを含むことを特徴とする。
【００１０】
ドア及びドア枠の材質は、木材、木質合板等の木質系材料、ステンレス鋼材、アルミニウム材等の金属系材料等の種々の材料を用いることができる。また、弾性材としては、例えばポリエチレン樹脂、ポリウレタン樹脂等の各種ゴム材料を用いることができ、これらゴム材の発泡体を用いるのが好ましい。また、戸当り部材及び保護部材の固定方法は、例えばネジ止め、接着剤による接着、弾性変形を利用した嵌合固定、或いはこれら接合方法を組合せて用いることができる。
【００１１】
更に本発明に係るドア構造は、前記戸当り部材と前記保護部材とが一体成形されて前記ドア枠に配設されていることを特徴とする。
【００１２】
更に本発明に係るドア構造は、前記保護部材の厚みが、前記ドアの先端と前記ドア枠との間に形成される隙間よりも大きく形成されていることを特徴とする。ここで、保護部材の厚みとは、保護部材がドアの先端とドア枠との両方に配設される場合においては、両方に配設された各保護部材の厚みを合計した厚みをいうものとする。
【００１３】
更に本発明に係るドア構造は、前記保護部材の角部が面取りされていることを特徴とする。
【００１４】
【発明の実施の形態】
以下、本発明に係るドア構造の実施形態について、図１〜図６を参照しながら説明する。
【００１５】
本実施形態のドア構造は、図１に示すように、ドア枠１によってドア開口部が構成されており、このドア枠１の片側の縦枠１２に蝶番２１によりドア２の基端部が軸支されている。このことで、ドア２の先端側を揺動させてドア開口部を開閉する。ドア枠１及びドア２は木質材で形成され、ドア枠１の縦枠１１、１２は木材の柱で構成されている。符号２２で指示するものは、ドア２の先端側に配設された周知の開閉ハンドルであり、この開閉ハンドル２２によってドア２の先端縁の略中央に配設された図示しないラッチを進退動させる。
【００１６】
図２に示すように、ドア２の先端に対向するドア枠１の縦枠１１には、発泡ゴムから成る弾性体３が配設されている。この弾性体３は、図３（ａ）に示すように、角棒状の戸当り部材４と板状の保護部材５とが一体成形されたものであり、横断面形状が全体として略Ｌ字状を成している。この弾性体３がドア枠１の縦枠１１の略全長に亘って配設されている。本実施形態では、弾性体３の長手方向の略中央において、保護部材５の一部に切欠部５０が形成されており、この切欠部５０でドア２のラッチが進退動作する。
【００１７】
この弾性体３を構成する戸当り部材４は、図２及び図３（ａ）に示すように、ドア２に対向する側面に当り面４０を備えている。ドア２を閉じたとき、この当り面４０にドア２の先端の内側面を当接させることによってドア２の閉じ位置を規制するのである。また、戸当り部材４には、長手方向に沿って所定間隔で複数の沈み孔４１が形成されており、各沈み孔４１の底部に設けられた通孔４２にネジ４３を通し、このネジ４３をドア枠１の縦枠１１にねじ込むことによって縦枠１１に固定されている。
【００１８】
同じく弾性体３を構成する保護部材５も、図２に示すように、ドア枠１の縦枠１１にねじ固定されている。即ち、保護部材５の長手方向に沿って所定間隔で複数の沈み孔５１が形成され、各沈み孔５１の底部に設けられた通孔５２に通したネジ５３を縦枠１１にねじ込むことで縦枠１１に固定されている。この保護部材５は所定の厚みＴ１を有し、ドア２を閉じたときにドア２の先端とドア枠１の縦枠１１との間に形成される隙間Ｓに位置するように配設されている。なお、この隙間Ｓは、少なくとも指等を受け入れ可能な間隔に形成されており、約２０ｍｍ乃至３０ｍｍの間隔が好ましい。また、保護部材５のドア２に対向する角部は面取りされて湾曲部５４が形成されている。
【００１９】
他方、ドア２の先端には、図２及び図３（ｂ）に示すように、発泡ゴムから成る第二の保護部材６が配設されている。即ち、第二の保護部材６には、長手方向に沿って所定間隔で複数の沈み孔６１が形成され、各沈み孔６１の底部に設けられた通孔６２に通したネジ６３をドア２の先端にねじ込むことでドア２にねじ固定されている。また、第二の保護部材６のドア枠１に対向する角部は面取りされて湾曲部６４が形成されている。なお、本実施形態では、図３（ｂ）に示すように、第二の保護部材６の長手方向の略中央に、ドア２のラッチを進退可能にする切欠部６０を形成し、かかる第二の保護部材６をドア２の先端縁の全長に亘って配設しているが、本発明はこれに限定されるものではなく、切欠部を設けていない２つの第二の保護部材６をドア２のラッチ部分を避けて上下に配設するようにしても良い。
【００２０】
図２に示すように、第二の保護部材６は、前記保護部材５の厚みＴ１と同じ厚みＴ２を有しており、ドア２を閉じたときにドア２の先端とドア枠１の縦枠１１との間に形成される隙間Ｓに位置するように配設されている。そして、保護部材５の厚みＴ１と第二の保護部材６の厚みＴ２との合計の厚みを、隙間Ｓより若干大きく形成している。このことで、ドア２を閉じる際、ドア先端の第二の保護部材６をドア枠１の保護部材５に接触させ、これら保護部材５及び第二の保護部材６を若干、弾性変形させながらドア２を完全に閉じるようにしている。
【００２１】
しかして、本実施形態のドア構造にあっては、図４に示すように、ドア２を閉じるとき、ドア２の先端とドア枠１の戸当り部材４との間に誤って指Ｆ等を挟んだとしても、ドア先端の第二の保護部材６が弾性変形すると同時に、戸当り部材４も弾性変形する。このことで、指等に加わる圧力、衝撃等を吸収することができ、たとえドア２が勢い良く閉じられたとしても、指等に怪我を負うこともなく安全である。
【００２２】
しかも、戸当り部材４自体が弾性材から成り、この戸当り部材４の当り面４０の反対側には変形スペースがあるので、指等を挟んだときには、戸当り部材４が圧縮変形するだけではなく、指等の反対側へ逃げるように曲がり変形もする。したがって、指等に加わる圧力、衝撃等を反対方向へ逃がすことができ、指詰め事故を効果的に防止することができる。
【００２３】
また、本実施形態のドア構造は、戸当り部材４の曲がり変形を利用しているので、圧縮変形だけで指等を許容する変形量を確保するべく弾性材の厚みを指等の太さより大きくする必要もなく、戸当り部材４を指等の太さよりも薄く形成することも可能である。したがって、設置スペースの節約等のために薄く構成されたドア枠にも適用できる。
【００２４】
なお、本発明に係るドア構造は、指等の異物を挟んだときには、戸当り部材４がその長手方向において異物を挟んだ部分で局部的に弾性変形するのに対し、異物を挟むことなくドア２が正常に閉じられたときには、戸当り部材４の長手方向の全体でドア２を支えることができる。したがって、この戸当り部材４は、指等を挟んだときには、其処で少なくとも指等の太さ分だけ変形し、指等を挟まずに戸当り部材４の全体でドア２を支えるときには、あまり変形せずにドア２の閉じ位置を規制するように、弾性係数、断面二次モーメント等を考慮して戸当り部材４の材質、形状、サイズを決めている。このように、本実施形態のドア構造は、従来のようにドア枠に剛体から成る戸当りを別設しなくても確実にドア２の閉じ位置を規制することができる。
【００２５】
また、本実施形態のドア構造は、図５に示すように、ドア２の先端とドア枠１の縦枠１１との間に誤って指Ｆ等を挟んだときにも、ドア２の先端に設けた第二の保護部材６が弾性変形すると同時に、縦枠１１に設けた保護部材５も弾性変形するので、指等に加わる圧力、衝撃等を吸収することができ、ドア２が勢い良く閉じられても、指等に怪我を負うこともなく安全である。
【００２６】
さらに、本実施形態のドア構造は、ドア２が勢い良く閉じられてドア先端が激しく戸当り部材４の当り面４０に衝突したとしても、戸当り部材４が圧縮変形するだけでなく曲がり変形するので、その衝撃を大幅に和らげることができ、大きな衝撃音が発生することもなくドアに嵌め込んだガラスが割れるなどドアが破損することもない。
【００２７】
しかも、本実施形態では、保護部材５の厚みＴ１と第二の保護部材６の厚みＴ２との合計の厚みを、ドア２の先端とドア枠１の縦枠１１との隙間Ｓよりも若干大きくして、ドア先端の第二の保護部材６を保護部材５に接触させながらドア２を閉じるようにしているので、これら保護部材同士の摩擦抵抗によってドア２の勢いを弱めることが可能となり、このことによってもドア２の閉じ衝撃を和らげることができる。
【００２８】
また、保護部材５及び第二の保護部材６の互いに対向する角部が面取りされているので、これら保護部材同士を接触させながらドア２を閉じる場合でも、両者の角部が互いに引っ掛かることもなく、スムーズにドアを閉じることができる。また、ドア２を完全に閉じた状態においては、保護部材５と第二の保護部材６とが弾性変形して互いに押し合うように接触するので、ドアの気密性を向上させることができる。なお、保護部材５の厚みＴ１と第二の保護部材６の厚みＴ２との合計の厚みを前記隙間Ｓより小さく形成した場合でも、ドア２の先端が戸当り部材４の当り面４０に当接するので、所定の気密性を確保することができる。
【００２９】
更にまた、本実施形態では、戸当り部材４と保護部材５とを横断面略Ｌ字状の弾性体３として一体成形しているので、かかる弾性体３をドア枠１の縦枠１１に設ければ、簡単に本発明のドア構造を構成することができる。したがって、従来のドア構造のように、わざわざドア枠に角材等を添設したり、段部を形成したりする必要もなく、構造が簡素で安価なドア構造を提供することができる。
【００３０】
以上、本発明の一実施形態について説明したが、本発明のドア構造は、その他の形態でも実施し得るものである。
【００３１】
例えば、上記実施形態では、戸当り部材４と保護部材５とから成る弾性体３を木材柱の縦枠１１にネジ固定しているが、図６に示すように、金属製のドア枠７の中空縦枠７１に嵌合溝７２を形成する一方、弾性体３の底部に嵌合突起３１を設け、この嵌合突起３１を弾性変形させて嵌合溝７２に嵌合することによって、弾性体３を縦枠７１に固定しても良い。同様に、中空構造の金属製ドア８の先端に形成した嵌合溝８１に、第二の保護部材６の底部に形成した嵌合突起６５を弾性変形させて嵌合することによって第二の保護部材６をドア８に固定することもできる。また、これら戸当り部材４、保護部材５、第二の保護部材６は中実構造に限られるものではなく、同図６に示すように、戸当り部材４に中空部４４を形成し、保護部材５に中空部５５を形成し、第二の保護部材６に中空部６６を形成しても良い。
【００３２】
また、上記実施形態では、戸当り部材４と保護部材５とを一体成形した弾性体３をドア枠１の縦枠１１に配設しているが、図７に示すように、戸当り部材４と保護部材５とをそれぞれ別個に縦枠１１に設けるようにしても良い。このことによって、戸当り部材４が独立して弾性変形して曲げ変形し易くなるので、指詰め事故をより効果的に防止することが可能となり、また、ドアを閉じたときの緩衝効果を更に向上させることが可能となる。
【００３３】
また、上記実施形態では、ドア枠１の縦枠１１に保護部材５を設け、ドア２の先端に第二の保護部材６を設けているが、本発明はこれに限定されるものではなく、ドア枠１の縦枠１１とドア２の先端との少なくとも何れか一方に保護部材が設けられていれば足りる。例えば、図８に示すようにドア枠１の縦枠１１に保護部材を設けずに、ドア２の先端にのみ保護部材９１を設けても良い。この場合、保護部材９１の厚みＴ３をドア２の先端とドア枠１の縦枠１１との隙間Ｓより大きく形成すれば、ドア２を閉じる際にドア先端の保護部材９１をドア枠１の縦枠１１に接触させることができる。
【００３４】
また、図９に示すように、ドア２の先端に保護部材を設けずに、ドア枠１の縦枠１１にのみ保護部材９２を設けても良い。この場合、保護部材９２の厚みをドア２の先端とドア枠１の縦枠１１との隙間Ｓより大きく形成すれば、ドア２を閉じる際にドアの先端を縦枠１１の保護部材９２に接触させることができる。尚、この保護部材９２と戸当り部材４とをそれぞれ別個に縦枠１１に設けても勿論良いが、同図９に示すように、保護部材９２と戸当り部材４とを弾性体９として一体成形すれば、この弾性体９をドア枠１の縦枠１１に配設するだけで極めて簡単に本発明に係るドア構造を構成することができる。
【００３５】
以上、本発明の実施変形例について図面に基いて説明したが、本発明のドア構造は図示したものに限定されず、その他の態様でも実施し得るものである。
【００３６】
例えば、戸当り部材、保護部材の形状は種々の設計変更が可能であり、戸当り部材の厚みをその先端に向かって徐々に小さく形成することによって先端側ほど曲げ変形し易くしたり、保護部材の厚みを戸当り部材の反対側へ向かって徐々に小さく形成したりすることも可能である。また、これら戸当り部材、保護部材をそれぞれ異なる材料の弾性材で形成しても良い。これら戸当り部材と保護部材とを一体成形する場合においても、例えば二色押出成形法を利用するなどして異なる材料の弾性材で形成しても良い。また、本発明は、戸当り部材や保護部材を必ずしもドアの先端縁及びドア枠の縦枠の全長に亘って配設する必要はなく、ドアの先端縁及びドア枠の縦枠の一部に配設しても良い。本発明は、その趣旨を逸脱しない範囲内で当業者の知識に基づき、種々の改良、変更、修正を加えた態様で実施し得るものである。
【００３７】
また、同一の作用又は効果が生じる範囲内で何れかの発明特定事項を他の技術に置換した形態で実施しても良く、また、一体に構成されている発明特定事項を複数の部材から構成しても、複数の部材から構成されている発明特定事項を一体に構成した形態で実施しても良い。
【００３８】
【発明の効果】
以上のように、本発明のドア構造によれば、ドアを閉じるときにドアの先端とドア枠の戸当り部材との間に誤って指等を挟んだとしても、戸当り部材が弾性変形して指等に加わる圧力、衝撃等を吸収することができ、たとえドアが勢い良く閉じられたとしても、指等に怪我を負うこともなく安全である。しかも、戸当り部材自体が弾性材で形成され、戸当り部材の当り面の反対側には変形スペースがあるので、指等を挟んだときには、戸当り部材が指等の反対側へ逃げるように曲がり変形もする。したがって、指等に加わる圧力、衝撃等を反対方向へ逃がすことができ、指詰め事故を効果的に防止することができる。また、ドアの先端とドア枠の縦枠との間に誤って指等を挟んだときにも、ドアの先端とドア枠の縦枠の少なくとも何れか一方に設けられた保護部材が弾性変形するので、指等に怪我を負うこともない。
【００３９】
また、ドアの先端が激しく戸当り部材の当り面に衝突しても、戸当り部材が圧縮変形するだけでなく曲がり変形するので、その衝撃を大幅に和らげることができ、大きな衝撃音が発生することもなくドアに嵌め込んだガラスが割れるなどドアが破損することもない。また、保護部材の厚みをドアの先端とドア枠の縦枠との隙間よりも大きく形成すれば、保護部材を接触させながらドアを閉じることが可能となり、保護部材の摩擦抵抗によりドアの閉じ勢いを弱めてドアの閉じ衝撃を更に和らげることができる。また、ドアを完全に閉じた状態においては、保護部材が弾性変形しているので、ドアの気密性を向上させることができる。
【００４０】
また、保護部材の角部が面取りされている本発明のドア構造によれば、保護部材を接触させながらドアを閉じる場合でも、保護部材の角部が引っ掛かることもなく、スムーズにドアを閉じることができる。
【００４１】
また、戸当り部材と保護部材とを弾性体として一体成形した本発明のドア構造によれば、かかる弾性体をドア枠の縦枠に設ければ、簡単に本発明のドア構造を構成することができる。したがって、従来のドア構造のように、わざわざドア枠に角材等を添設したり、段部を形成したりする必要もなく、構造が簡素で安価なドア構造を提供することができる。
【図面の簡単な説明】
【図１】本発明に係る実施形態のドア構造の平面図である。
【図２】本発明に係る実施形態のドア構造の要部拡大平面図である。
【図３】本実施形態のドア構造における弾性体及び第二の保護部材の部分省略斜視図である。
【図４】本実施形態のドア構造においてドアの先端と戸当り部材との間に指等を挟んだ状態を示す要部拡大断面図である。
【図５】本実施形態のドア構造においてドアの先端とドア枠の縦枠との間に指等を挟んだ状態を示す要部拡大断面図である。
【図６】本発明のドア構造の他の実施形態の要部拡大断面図である。
【図７】本発明のドア構造の更に他の実施形態の要部拡大断面図である。
【図８】本発明のドア構造の更に他の実施形態の要部拡大断面図である。
【図９】本発明のドア構造の更に他の実施形態の要部拡大断面図である。
【符号の説明】
１、７    ドア枠
１１、１２、７１  縦枠
２、８    ドア
３、９    弾性体
４        戸当り部材
５、９１、９２  保護部材
６        第二の保護部材
Ｆ        指
Ｓ        ドアの先端とドア枠の縦枠との隙間
Ｔ１      保護部材５の厚み
Ｔ２      第二の保護部材６の厚み
Ｔ３      保護部材９１の厚み
【図１】
2004150220.tif 000003
【図２】
2004150220.tif 000004
【図３】
2004150220.tif 000005
【図４】
2004150220.tif 000006
【図５】
2004150220.tif 000007
【図６】
2004150220.tif 000008
【図７】
2004150220.tif 000009
【図８】
2004150220.tif 000010
【図９】
2004150220.tif 000011